(57)【特許請求の範囲】
【請求項１】
操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子とを備え、操作部によるセット解除操作時には、吸盤の被吸着体への吸着力と復帰ばねのばね力とのバランスにより吸盤が被吸着体から離れるまでに遅れ時間があるようにし、少なくとも吸盤及び被吸着体及びカード及び復帰ばねにより構成される遅延素子の要所を囲む枠体を備え、端子は、スイッチ機構が電気的に接続され且つ外部電線が接続される端子板と、端子板に外部電線を圧接接続する鎖錠ばねとで構成され、枠体は、端子板を仮保持する端子仮保持用リブが操作部側の前端部に形成されて成ることを特徴とする遅れスイッチ。
【請求項２】
吸盤が被吸着体に吸着した状態において吸盤と被吸着体との間に形成される内部空間へ連通する空気流通経路に配設される空気透過部材を備え、吸盤に連結され空気透過部材が内部に圧入される筒状の空気透過部材圧入部を有することを特徴とする請求項１記載の遅れスイッチ。
【請求項３】
吸盤は、空気透過部材が導入される筒状の空気透過部材導入部を有し、空気透過部材導入部の内面は導入口側にテーパが形成されて成ることを特徴とする請求項２記載の遅れスイッチ。
【請求項４】
吸盤は、空気透過部材を圧入する筒状の空気透過部材圧入部を有し、空気透過部材圧入部の内面は圧入口側にテーパが形成されて成ることを特徴とする請求項２又は請求項３記載の遅れスイッチ。
【請求項５】
カードと吸盤との間に介在するシャフトを備え、吸盤とシャフトとは一体成形されて成ることを特徴とする請求項１記載の遅れスイッチ。
【請求項６】
吸盤が被吸着体に吸着した状態において吸盤と被吸着体との間に形成される内部空間へ連通する空気流通経路に配設される空気透過部材を備え、吸盤は、軸方向においてシャフトとオーバーラップしない部位に空気透過部材が内部に圧入される筒状の空気透過部材圧入部が形成されて成ることを特徴とする請求項５記載の遅れスイッチ。
【請求項７】
カードと吸盤との間に介在する筒状のシャフトを備え、シャフトは軸方向においてカード側の端面への吸盤の一部の回り込みを防止する回り込み防止手段が設けられて成ることを特徴とする請求項１記載の遅れスイッチ。
【請求項８】
吸盤は、空気透過部材圧入部の圧入口側に空気透過部材を仮保持可能な空気透過部材仮保持空間が形成されて成ることを特徴とする請求項２記載の遅れスイッチ。
【請求項９】
吸盤は、被吸着体に吸着する吸着部と空気透過部材圧入部とが連続一体に形成され、吸着部と空気透過部材圧入部との連結部の外側面が滑らかな凹状に形成されて成ることを特徴とする請求項２記載の遅れスイッチ。
【請求項１０】
カードと吸盤との間に介在する筒状のシャフトを備え、吸盤は、被吸着体に吸着する吸着部と空気透過部材圧入部とが連続一体に形成され、吸着部と空気透過部材圧入部との連結部の外径がシャフトの外径よりも大きく形成されて成ることを特徴とする請求項２記載の遅れスイッチ。
【請求項１１】
少なくとも吸盤及び被吸着体を収納する素子用ケースと、吸盤の吸着面側と素子用ケースの外側との間を仕切る吸盤カバーを備え、吸盤カバーと空気透過部材圧入部とが連続一体に形成され、吸盤カバーと空気透過部材圧入部との連結部の外側面が滑らかな凹状に形成されて成ることを特徴とする請求項２記載の遅れスイッチ。
【請求項１２】
吸盤は、吸着面以外の部位にパーティングラインが設けられて成ることを特徴とする請求項１記載の遅れスイッチ。
【請求項１３】
カードと吸盤との間に介在する筒状のシャフトを備え、シャフトの吸盤側の端面とシャフトの内周面の一部とが吸盤との接着部を構成して成ることを特徴とする請求項１記載の遅れスイッチ。
【請求項１４】
シャフトは、少なくともカード側の端面及び側面を除いた部位が吸盤の一部に当接されて成ることを特徴とする請求項５記載の遅れスイッチ。
【請求項１５】
カードと吸盤との間に介在するシャフトを備え、シャフトは、軸方向に略平行でカードを保持する２つのカード保持用ピンを有し、カードは、カード保持用ピンが挿入される一対の挿通孔が形成されて成ることを特徴とする請求項１記載の遅れスイッチ。
【請求項１６】
空気透過部材は、空気透過部材圧入部の軸方向において吸盤側に配設されて成ることを特徴とする請求項２記載の遅れスイッチ。
【請求項１７】
少なくとも吸盤及び被吸着体を収納する素子用ケースと、吸盤の吸着面側と素子用ケースの外側との間を仕切る吸盤カバーとを備え、吸盤カバーは、開口された側の端部が全周にわたって素子用ケースに取り付けられて成ることを特徴とする請求項１記載の遅れスイッチ。
【請求項１８】
少なくとも吸盤及び被吸着体を収納する素子用ケースと、吸盤の吸着面側と素子用ケースの外側との間を仕切る吸盤カバーとを備え、吸盤カバーは、弾性力を有しカードの移動によって変形するものであって、素子用ケース内に収納され素子用ケースに対して該吸盤カバーの復帰力により密着シールされて成ることを特徴とする請求項１記載の遅れスイッチ。
【請求項１９】
少なくとも吸盤及び被吸着体を収納する素子用ケースと、吸盤の吸着面側と素子用ケースの外側との間を仕切る吸盤カバーとを備え、素子用ケースは、吸盤カバーの開口された側の端部が圧入される圧入部が形成され、吸盤カバーは、圧入部に圧接する複数の圧入用リブが形成されて成ることを特徴とする請求項１記載の遅れスイッチ。
【請求項２０】
少なくとも吸盤及び被吸着体を収納する素子用ケースと、吸盤の吸着面側と素子用ケースの外側との間を仕切る吸盤カバーとを備え、吸盤カバーは開口された側の端部に素子用ケースに圧入される圧入用リブが形成され、且つ、吸盤カバーは、開口された側の端面が素子用ケースに密着シールされて成ることを特徴とする請求項１記載の遅れスイッチ。
【請求項２１】
少なくとも吸盤及び被吸着体を収納する素子用ケースと、吸盤の吸着面側と素子用ケースの外側との間を仕切る吸盤カバーとを備え、吸盤カバーは、素子用ケースに対する装着位置決め用リブが形成されて成ることを特徴とする請求項１記載の遅れスイッチ。
【請求項２２】
被吸着体は、フッ素樹脂により形成されて成ることを特徴とする請求項１記載の遅れスイッチ。
【請求項２３】
復帰ばねが配置される側を前面側とし少なくとも吸盤及び被吸着体を収納する素子用ケースと、素子用ケースの後面側に結合される防塵用のフィルタとを備え、素子用ケースは、被吸着体が圧入される圧入部が後部に形成されて成ることを特徴とする請求項１記載の遅れスイッチ。
【請求項２４】
素子用ケースの形状は、後面が開口した直方体状であって、被吸着体は、８角柱状の形状に形成されて成ることを特徴とする請求項２３記載の遅れスイッチ。
【請求項２５】
被吸着体は、吸盤が吸着される被吸着面が該被吸着面の基準平面に対して±０．０２ｍｍの平面間に収まることを特徴とする請求項１記載の遅れスイッチ。
【請求項２６】
吸盤は、空気透過部材が圧入される筒状の空気透過部材圧入部を有し、空気透過部材は、柱状であって軸方向の両端部に面取り部が形成されて成ることを特徴とする請求項１記載の遅れスイッチ。
【請求項２７】
枠体は、カードが挿入されてカードの移動をガイドし、カードは枠体への逆挿入を防止する逆挿入防止用リブが形成されて成ることを特徴とする請求項１記載の遅れスイッチ。
【請求項２８】
操作部のセット動作に連動して回動しカードを移動させるアームを備え、カードは、アームにより押圧される一対の被押圧部を有する略コ字形であって、被押圧部は、互いに対向する側に先端ほど相互間の距離が大きくなるようなテーパが形成されて成ることを特徴とする請求項１記載の遅れスイッチ。
【請求項２９】
吸盤とカードとの間に介在するシャフトを備え、スイッチ機構は、固定接点と、可動接点と、該可動接点が一端側に設けられた接触ばねとで構成され、カードは、接触ばねを押圧する接触ばね押圧部が形成され、接触ばね押圧部の先端はシャフトのセンタからずらしてあることを特徴とする請求項１記載の遅れスイッチ。
【請求項３０】
スイッチ機構は、固定接点と、可動接点と、該可動接点が一端側に設けられた接触ばねとで構成され、各カード保持用ピンは、樹脂により形成され、カードは、一対の挿通孔それぞれに挿入された各カード保持用ピンの先端を溶かすことによりシャフトと結合され、カードは、接触ばねを押圧する接触ばね押圧部と、該溶けた樹脂を逃がすための樹脂逃げ用溝とが形成されて成ることを特徴とする請求項１５記載の遅れスイッチ。
【請求項３１】
枠体は端子板の一部が圧入される圧入部が側面に形成され、端子仮保持用リブは、円柱状の形状であって、圧入部に圧入される端子板に接触する位置に形成されて成ることを特徴とする請求項１記載の遅れスイッチ。
【請求項３２】
枠体は、端子板の一部を支持する端子板受け部が側面に形成されて成ることを特徴とする請求項１記載の遅れスイッチ。
【請求項３３】
少なくとも枠体及び遅延素子及び端子を収納するケースを備え、枠体は、ケース内において鎖錠ばねが倒れるのを防止する錠ばね倒れ防止用リブが形成されて成ることを特徴とする請求項１記載の遅れスイッチ。
【請求項３４】
少なくとも枠体及び遅延素子及び端子を収納するケースを備え、ケースは、枠体及び遅延素子及び端子が収納される後端側のボディと、操作部が突出する前端側のカバーとで構成され、枠体は、ボディに圧接されて成ることを特徴とする請求項１記載の遅れスイッチ。
【請求項３５】
カードと吸盤との間に介在するシャフトを備え、枠体は、カードが挿入されるとともにシャフトを囲み、且つ、復帰ばねのばね力に抗して復帰ばねを仮保持する復帰ばね仮保持用リブが形成されて成ることを特徴とする請求項１記載の遅れスイッチ。
【請求項３６】
操作部のセット動作に連動して回動しカードを移動させるアームを備え、前記枠体は、カードの移動をガイドするガイド部が形成されるとともに、アームの干渉を避ける段差が設けられて成ることを特徴とする請求項１記載の遅れスイッチ。
【請求項３７】
少なくとも枠体及び遅延素子及び端子が納装されるケースを備え、ケースは、枠体及び遅延素子及び端子が収納される後端側のボディと、操作部が突出する前端側のカバーとで構成され、枠体は、ボディへの逆挿入を防止する逆挿入防止リブが形成されて成ることを特徴とする請求項１記載の遅れスイッチ。
【請求項３８】
少なくとも吸盤及び被吸着体が収納される素子用ケースを備え、枠体は、素子用ケースにおいて復帰ばねが配置される前面側に後面側が結合され、後面以外の部位に成型時におけるゲート跡を有することを特徴とする請求項１記載の遅れスイッチ。
【請求項３９】
少なくとも吸盤及び被吸着体及びカード及び復帰ばねにより構成される遅延素子と端子とが納装されるケースと、吸盤が被吸着体に吸着した状態において吸盤と被吸着体との間に形成される内部空間へ連通する空気流通経路に配設される空気透過部材とを備え、ケースにおいて遅延素子が収納される遅延素子収納部の幅をケースにおいて端子が収納される端子収納部の幅よりも大きくして成ることを特徴とする請求項１記載の遅れスイッチ。
【請求項４０】
復帰ばねが配置される側を前面側とし少なくとも吸盤及び被吸着体が収納される素子用ケースと素子用ケースの後面側に配設される防塵用のフィルタを備え、フィルタは、フッ素系繊維材料により形成されて成ることを特徴とする請求項１記載の遅れスイッチ。
【請求項４１】
フィルタは、粘着テープにより素子用ケースに結合されて成ることを特徴とする請求項４０記載の遅れスイッチ。
【請求項４２】
フィルタは、素子用ケースの後面の開口部を塞ぐように素子用ケースの後面側に結合されて成ることを特徴とする請求項４０又は請求項４１記載の遅れスイッチ。
【発明の詳細な説明】
【０００１】
【発明の属する技術分野】
本発明は、負荷を遅延動作させる遅れスイッチに関するものである。
【０００２】
【従来の技術】
この種の遅れスイッチは、例えばトイレの換気扇及び照明負荷の操作に用いるものが知られている（特開昭６１−５５８２５号公報参照）。この従来の遅れスイッチは、操作部たるハンドルの操作で換気扇と照明負荷とを夫々オンし、次の操作ハンドルの操作で照明負荷をオフし、換気扇を一定時間後にオフする制御機能を持つものである。
【０００３】
【発明が解決しようとする課題】
ところで、上記従来構成のものでは、上記一定時間を決める遅延ユニットの構造が複雑で製造コストが高い、ハンドルの操作に遅延ユニットのギアが連動するので操作感触が悪い、遅延ユニットの遅延機能による各種騒音が生じる、等の問題があった。
【０００４】
本発明は上記事由に鑑みて為されたものであり、その目的は、低コストで遅延動作の信頼性が高く騒音が小さな遅れスイッチを提供することにある。
【０００５】
【課題を解決するための手段】
請求項１の発明は、上記目的を達成するために、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子とを備え、操作部によるセット解除操作時には、吸盤の被吸着体への吸着力と復帰ばねのばね力とのバランスにより吸盤が被吸着体から離れるまでに遅れ時間があることを特徴とするのであって、吸盤の被吸着体への吸着力と復帰ばねのばね力とのバランスにより遅れ時間が決まるから、従来のようなギアが不要となり、従来の遅延ユニットを有する遅れスイッチに比べて構成が簡単で信頼性が高く、低コスト化が図れるとともに、騒音が小さくなる。また、従来のようなギアが必要ないので、操作部の操作がスムーズになる。
また、少なくとも吸盤及び被吸着体及びカード及び復帰ばねにより構成される遅延素子の要所を囲む枠体を備え、端子は、スイッチ機構が電気的に接続され且つ外部電線が接続される端子板と、端子板に外部電線を圧接接続する鎖錠ばねとで構成され、枠体は、端子板を仮保持する端子仮保持用リブが操作部側の前端部に形成されているので、組み立て時に端子板を仮保持することにより、組み立て性が向上する。
【０００６】
請求項２の発明は、請求項１の発明において、吸盤が被吸着体に吸着した状態において吸盤と被吸着体との間に形成される内部空間へ連通する空気流通経路に配設される空気透過部材を備え、吸盤に連結され空気透過部材が内部に圧入される筒状の空気透過部材圧入部を有するので、空気透過部材の材料やサイズを変えることにより遅れ時間を調整することができ、しかも空気透過部材の位置決めが容易である。
【０００７】
請求項３の発明は、請求項２の発明において、吸盤は、空気透過部材が導入される筒状の空気透過部材導入部を有し、空気透過部材導入部の内面は導入口側にテーパが形成されているので、吸盤内部への空気透過部材の導入を効率良く行うことができ、組み立てに要する時間を短くすることができる。
請求項４の発明は、請求項２又は請求項３の発明において、吸盤は、空気透過部材を圧入する筒状の空気透過部材圧入部を有し、空気透過部材圧入部の内面は圧入口側にテーパが形成されているので、吸盤内部へ空気透過部材を圧入することにより空気透過部材の位置決めが容易になり、また、空気透過部材圧入部の内面の圧入口側にテーパが形成されていることにより、組み立て時に吸盤内部への空気透過部材の圧入を低荷重で確実に行うことができ、歩留りが向上する。
【０００８】
請求項５の発明は、請求項１の発明において、カードと吸盤との間に介在するシャフトを備え、吸盤とシャフトとは一体成形されているので、吸盤とシャフトとの結合力を高めることができる。
【０００９】
請求項６の発明は、請求項５の発明において、吸盤が被吸着体に吸着した状態において吸盤と被吸着体との間に形成される内部空間へ連通する空気流通経路に配設される空気透過部材を備え、吸盤は、軸方向においてシャフトとオーバーラップしない部位に空気透過部材が内部に圧入される筒状の空気透過部材圧入部が形成されているので、吸盤の空気透過部材圧入部とシャフトとの位置がオーバーラップすることがなく、組み立て時に吸盤内部への空気透過部材の圧入を低荷重で確実に行うことができ、歩留りが向上する。
【００１０】
請求項７の発明は、請求項１の発明において、カードと吸盤との間に介在する筒状のシャフトを備え、シャフトは軸方向においてカード側の端面への吸盤の一部の回り込みを防止する回り込み防止手段が設けられているので、カードとシャフトとの間に吸盤の一部が介在することがなく、シャフトに対するカードの位置決め精度が向上する。
【００１１】
請求項８の発明は、請求項２の発明において、吸盤は、空気透過部材圧入部の圧入口側に空気透過部材を仮保持可能な空気透過部材仮保持空間が形成されているので、組み立て時に空気透過部材の圧入を効率良く確実に行うことができる。
請求項９の発明は、請求項２の発明において、吸盤は、被吸着体に吸着する吸着部と空気透過部材圧入部とが連続一体に形成され、吸着部と空気透過部材圧入部との連結部の外側面が滑らかな凹状に形成されているので、吸盤の成型の離型時に吸着部と空気透過部材圧入部との連結部にかかる応力を小さくすることができ、離型時に連結部が切断されるのを防止することができる。
【００１２】
請求項１０の発明は、請求項２の発明において、カードと吸盤との間に介在する筒状のシャフトを備え、吸盤は、被吸着体に吸着する吸着部と空気透過部材圧入部とが連続一体に形成され、吸着部と空気透過部材圧入部との連結部の外径がシャフトの外径よりも大きく形成されているので、吸盤の成型の離型時に吸着部と空気透過部材圧入部との連結部にかかる応力を小さくすることができ、離型時に連結部が切断されるのを防止することができる。
【００１３】
請求項１１の発明は、請求項２の発明において、少なくとも吸盤及び被吸着体を収納する素子用ケースと、吸盤の吸着面側と素子用ケースの外側との間を仕切る吸盤カバーを備え、吸盤カバーと空気透過部材圧入部とが連続一体に形成され、吸盤カバーと空気透過部材圧入部との連結部の外側面が滑らかな凹状に形成されているので、吸盤の成型の離型時に吸盤カバーと空気透過部材圧入部との連結部にかかる応力を緩和でき、吸盤カバーの破損などの不良をなくすことができる。
【００１４】
請求項１２の発明は、請求項１の発明において、吸盤は、吸着面以外の部位にパーティングラインが設けられているので、成型にともなうバリが吸着面に発生するのを防止することができ、バリを除去する際に吸着面に傷がつくのを防止することができるから、被吸着体への吸盤の吸着状態を安定させることができ、遅れ時間の精度を高めることができる。
【００１５】
請求項１３の発明は、請求項１の発明において、カードと吸盤との間に介在する筒状のシャフトを備え、シャフトの吸盤側の端面とシャフトの内周面の一部とが吸盤との接着部を構成しているので、シャフトの吸盤側の端面だけを吸盤との接着部とする場合に比べて接着部の面積を増やすことができ、シャフトと吸盤との接着強度が増し、耐久信頼性が向上する。
【００１６】
請求項１４の発明は、請求項５の発明において、シャフトは、少なくともカード側の端面及び側面を除いた部位が吸盤の一部に当接されているので、シャフトの外周に吸盤の一部が付くことがなく、吸盤の離型時の離型性が向上し、歩留りが向上する。
請求項１５の発明は、請求項１の発明において、カードと吸盤との間に介在するシャフトを備え、シャフトは、軸方向に略平行でカードを保持する２つのカード保持用ピンを有し、カードは、カード保持用ピンが挿入される一対の挿通孔が形成されているので、組み立て時にシャフトとカードとを少ないスペースで強固に結合することが可能となる。
【００１７】
請求項１６の発明は、請求項２の発明において、空気透過部材は、空気透過部材圧入部の軸方向において吸盤側に配設されているので、空気透過部材を配設したことによる吸盤の変形への影響を少なくすることができ、また、吸盤が被吸着体に吸着している時に空気透過部材圧入部内に残留する空気の量が多くなり、同じ遅れ時間を実現するために空気透過係数の小さな空気透過部材を使用することができる。
【００１８】
請求項１７の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、開口された側の端部が全周にわたって素子用ケースに取り付けられているので、吸盤カバーにより吸盤と被吸着体との間に塵や埃などの異物が侵入するのを確実に防ぐことができ、遅れ時間の精度を確保することができる。
【００１９】
請求項１８の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、弾性力を有しカードの移動によって変形するものであって、素子用ケース内に収納され素子用ケースに対して該吸盤カバーの復帰力により密着シールされているので、吸盤カバーを素子用ケースに圧入したりすることなしに、吸盤カバーにより吸盤と被吸着体との間に塵や埃などの異物が侵入するのを確実に防ぐことができ、遅れ時間の精度を確保することができる。
【００２０】
請求項１９の発明は、請求項１の発明において、少なくとも吸盤及び被吸着体を収納する素子用ケースと、吸盤の吸着面側と素子用ケースの外側との間を仕切る吸盤カバーとを備え、素子用ケースは、吸盤カバーの開口された側の端部が圧入される圧入部が形成され、吸盤カバーは、圧入部に圧接する複数の圧入用リブが形成されているので、素子用ケースに対して吸盤カバーを容易に且つ確実に取り付けることができ、吸盤カバーにより吸盤と被吸着体との間に塵や埃などの異物が侵入するのを確実に防ぐことができ、遅れ時間の精度を確保することができる。
【００２１】
請求項２０の発明は、請求項１の発明において、少なくとも吸盤及び被吸着体を収納する素子用ケースと、吸盤の吸着面側と素子用ケースの外側との間を仕切る吸盤カバーとを備え、吸盤カバーは開口された側の端部に素子用ケースに圧入される圧入用リブが形成され、且つ、吸盤カバーは、開口された側の端面が素子用ケースに密着シールされているので、素子用ケースに対して吸盤カバーを容易に且つ確実に取り付けることができ、吸盤カバーにより吸盤と被吸着体との間に塵や埃などの異物が侵入するのを確実に防ぐことができ、遅れ時間の精度を確保することができる。
【００２２】
請求項２１の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、素子用ケースに対する装着位置決め用リブが形成されているので、素子用ケースへの吸盤カバーの装着位置が安定し、また、吸盤カバーにより吸盤と被吸着体との間に塵や埃などの異物が侵入するのを確実に防ぐことができ、遅れ時間の精度を確保することができる。
【００２３】
請求項２２の発明は、請求項１の発明において、被吸着体は、フッ素樹脂により形成されているので、被吸着体の表面粗さ、摩擦係数を小さくすることができ、吸盤が吸着される被吸着面の摩耗を抑制することができるから、遅れ時間の変動を防止することができる。
請求項２３の発明は、請求項１の発明において、復帰ばねが配置される側を前面側とし少なくとも吸盤及び被吸着体を収納する素子用ケースと、素子用ケースの後面側に結合される防塵用のフィルタとを備え、素子用ケースは、被吸着体が圧入される圧入部が後部に形成されているので、フィルタにより素子用ケース内へ塵や埃などに異物が侵入するのを防ぐことができ、また、組み立て時に被吸着体を素子用ケースに仮止めすることができ、フィルタの装着が容易となる。
【００２４】
請求項２４の発明は、請求項２３の発明において、素子用ケースの形状は、後面が開口した直方体状であって、被吸着体は、８角柱状の形状に形成されているので、フィルタの接着面積を大きくすることができ、また、素子用ケースの薄肉部を少なくすることができる。
【００２５】
請求項２５の発明は、請求項１の発明において、被吸着体は、吸盤が吸着される被吸着面が該被吸着面の基準平面に対して±０．０２ｍｍの平面間に収まるので、被吸着体への吸盤の吸着力のばらつきを小さくすることができ、遅れ時間のばらつきを抑制することができる。
【００２６】
請求項２６の発明は、請求項１の発明において、吸盤は、空気透過部材が圧入される筒状の空気透過部材圧入部を有し、空気透過部材は、柱状であって軸方向の両端部に面取り部が形成されているので、面取り部が形成されていることにより、空気透過部材圧入部への空気透過部材の圧入が容易になり、また、両端部に面取り部が形成されていることにより、両端部のどちらから圧入する場合であっても圧入が容易になり、空気透過部材の向きを気にする必要がなくなる。
【００２７】
請求項２７の発明は、請求項１の発明において、枠体は、カードが挿入されてカードの移動をガイドし、カードは枠体への逆挿入を防止する逆挿入防止用リブが形成されているので、カードを枠体へ逆方向に挿入することによるトラブルの発生を防止することができる。
請求項２８の発明は、請求項１の発明において、操作部のセット動作に連動して回動しカードを移動させるアームを備え、カードは、アームにより押圧される一対の被押圧部を有する略コ字形であって、被押圧部は、互いに対向する側に先端ほど相互間の距離が大きくなるようなテーパが形成されているので、被押圧部の強度を確保しつつ被押圧部間の空間を広く確保して該空間に他の部材を配設することが可能となる。
【００２８】
請求項２９の発明は、請求項１の発明において、吸盤とカードとの間に介在するシャフトを備え、スイッチ機構は、固定接点と、可動接点と、該可動接点が一端側に設けられた接触ばねとで構成され、カードは、接触ばねを押圧する接触ばね押圧部が形成され、接触ばね押圧部の先端はシャフトのセンタからずらしてあるので、接触ばねを駆動する駆動点をカードの形状により最適化することが可能となる。
【００２９】
請求項３０の発明は、請求項１５の発明において、スイッチ機構は、固定接点と、可動接点と、該可動接点が一端側に設けられた接触ばねとで構成され、各カード保持用ピンは、樹脂により形成され、カードは、一対の挿通孔それぞれに挿入された各カード保持用ピンの先端を溶かすことによりシャフトと結合され、カードは、接触ばねを押圧する接触ばね押圧部と、該溶けた樹脂を逃がすための樹脂逃げ用溝とが形成されているので、溶けた樹脂がカードの接触ばね押圧部に回り込むのを防止することができ、接触ばね押圧部による接触ばねのリフト量が変動するのを防止することができる。
【００３１】
請求項３１の発明は、請求項１の発明において、枠体は端子板の一部が圧入される圧入部が側面に形成され、端子仮保持用リブは、円柱状の形状であって、圧入部に圧入される端子板に接触する位置に形成されているので、組み立て時に端子体が動くのを防止でき、また、端子仮保持用リブが円柱状に形成されていることにより、端子と端子仮保持用リブとが線接触するから端子板をスムーズに圧入することができ、組み立て性を良くすることができる。
【００３２】
請求項３２の発明は、請求項１の発明において、枠体は、端子板の一部を支持する端子板受け部が側面に形成されているので、端子板に生じる力を枠体によって受け止めることができ、端子の信頼性を高めることができる。
【００３３】
請求項３３の発明は、請求項１の発明において、少なくとも枠体及び遅延素子及び端子を収納するケースを備え、枠体は、ケース内において鎖錠ばねが倒れるのを防止する錠ばね倒れ防止用リブが形成されているので、組み立て時に鎖錠ばねを配置した後に鎖錠ばねが倒れるのを防止でき、組み立て性が向上する。
【００３４】
請求項３４の発明は、請求項１の発明において、少なくとも枠体及び遅延素子及び端子を収納するケースを備え、ケースは、枠体及び遅延素子及び端子が収納される後端側のボディと、操作部が突出する前端側のカバーとで構成され、枠体は、ボディに圧接されているので、組み立て時に枠体の位置がずれるのを防止することができ、組み立て性が向上する。
【００３５】
請求項３５の発明は、請求項１の発明において、カードと吸盤との間に介在するシャフトを備え、枠体は、カードが挿入されるとともにシャフトを囲み、且つ、復帰ばねのばね力に抗して復帰ばねを仮保持する復帰ばね仮保持用リブが形成されているので、組み立て時に復帰ばねのばね力によってカードがシャフトから離れるのを防止することができ、カードとシャフトとを容易に結合することが可能となり、組み立て性が向上する。
【００３７】
請求項３６の発明は、請求項１の発明において、操作部のセット動作に連動して回動しカードを移動させるアームを備え、前記枠体は、カードの移動をガイドするガイド部が形成されるとともに、アームの干渉を避ける段差が設けられているので、ガイド部の長さを短くすることなしにアームの動作スペースを確保することができる。
【００３８】
請求項３７の発明は、請求項１の発明において、少なくとも枠体及び遅延素子及び端子が納装されるケースを備え、ケースは、枠体及び遅延素子及び端子が収納される後端側のボディと、操作部が突出する前端側のカバーとで構成され、枠体は、ボディへの逆挿入を防止する逆挿入防止リブが形成されているので、枠体をボディに対して逆方向に挿入するトラブルの発生を防止することができる。
【００３９】
請求項３８の発明は、請求項１の発明において、少なくとも吸盤及び被吸着体が収納される素子用ケースを備え、枠体は、素子用ケースにおいて復帰ばねが配置される前面側に後面側が結合され、後面以外の部位に成型時におけるゲート跡を有するので、枠体のゲート跡により素子用ケースの前面と枠体の後面との間に隙間が生じるのを防止することができ、組み立て寸法が狂うのを防止することができる。
【００４０】
請求項３９の発明は、請求項１の発明において、少なくとも吸盤及び被吸着体及びカード及び復帰ばねにより構成される遅延素子と端子とが納装されるケースと、吸盤が被吸着体に吸着した状態において吸盤と被吸着体との間に形成される内部空間へ連通する空気流通経路に配設される空気透過部材とを備え、ケースにおいて遅延素子が収納される遅延素子収納部の幅をケースにおいて端子が収納される端子収納部の幅よりも大きくしてあるので、吸盤の大きさを大きくすることにより、吸盤の寸法ばらつきによる遅れ時間の変動を少なくすることができ、同一遅れ時間を実現する場合に空気の透過係数の大きな空気透過部材を用いることができるから、透過係数のばらつきによる遅れ時間の変動も抑制することができる。
【００４１】
請求項４０の発明は、請求項１の発明において、復帰ばねが配置される側を前面側とし少なくとも吸盤及び被吸着体が収納される素子用ケースと素子用ケースの後面側に配設される防塵用のフィルタを備え、フィルタは、フッ素系繊維材料により形成されているので、フィルタの平均孔径を１μｍ以下にすることができ、しかも耐環境性に優れ且つ空気抵抗の低いフィルタを実現することができる。
【００４２】
請求項４１の発明は、請求項４０の発明において、フィルタは、粘着テープにより素子用ケースに結合されているので、組み立て時にフィルタを素子用ケースに容易に且つ気密的に装着することができ、素子用ケースとフィルタとの結合力を高めることができる。
請求項４２の発明は、請求項４０又は請求項４１の発明において、フィルタは、素子用ケースの後面の開口部を塞ぐように素子用ケースの後面側に結合されているので、素子用ケースを密閉構造とすることができ、吸盤と被吸着体との間に塵や埃などの異物が侵入するのを防止することができる。
【００４３】
【発明の実施の形態】
（実施形態１）
本実施形態の遅れスイッチのケース１は、図１乃至図４に示すように、合成樹脂製のボディ１０と、合成樹脂製のカバー８０とを一対の略コ字形の組立枠４０にて結合して形成される。
【００４４】
図４に示すように、カバー８０の両端部にはそれぞれ肩部８０ｂが突設され、各肩部８０ｂそれぞれの側面には組立枠４０の脚片４０ｄが嵌め込まれる凹部８０ｃが形成されている。一方、ボディ１０の前端側には、上記凹部８０ｃに対応する部位に、組立枠４０の脚片４０ｄが嵌め込まれる凹部１８が形成されている。したがって、ボディ１０にカバー８０を結合するときには、カバー８０の各肩部８０ｂの前面側からそれぞれ組立枠４０を嵌合し（組立枠４０の脚片４０ｄをカバー８０の凹部８０ｃとボディ１０の凹部１８とに嵌め込み）、この組立枠４０の両脚片４０ｄの先端部に形成された略Ｖ字形の引掛爪４０ａをそれぞれボディ１０の側面に形成された段部１５に係合させることによって、カバー８０とボディ１０とが組立枠４０により固定される。
【００４５】
ここで、ケース１は、埋込型の配線器具用の取付枠に該取付枠の開口窓からケース１の前面が露出する形で最大３個まで連設して取り付けることができるように寸法設定された単位寸法の埋込型の配線器具の１個分に相当する寸法に形成されている。すなわち、ケース１は、例えばＪＩＳ規格で規格化されている大角形連用配線器具の取付枠に最大３個まで取り付けることができる配線器具の１個分の寸法に形成されており、上記取付枠に設けられた取付孔に係合可能な一対の係合爪４０ｂが組立枠４０の両端部から突設されている。また、各組立枠４０には、金属製の取付枠に取り付ける際に取付枠の係止爪が係止される係止孔４０ｃが設けてある。
【００４６】
カバー８０は操作用のハンドル９０の一部がケース１の前面から突出するような形でハンドル９０を収納する開口部８１が形成されており、カバー８０の内側面には、ハンドル９０の両側面に突設された凸部９５が係合される凹部８２が形成されている。したがって、ハンドル９０を開口部８１に収納する時にハンドル９０の両側面の凸部９５をカバー８０の凹部８２にそれぞれ挿入係合することによって、カバー８０の凹部８２がハンドル９０の揺動支点となる。
【００４７】
一方、ハンドル９０の両端部にはそれぞれ鍔部９０ｃが突設され、ハンドル９０の後面の側端部からは、三角形状の一対のガイド片９０ａ（図３（ｂ）及び図４参照）及び半円状の一対のアーム押圧片９０ｂ（図１（ｂ）、図３（ｂ）、図４参照）が突設されている。ここに、一対のアーム押圧片９０ｂそれぞれの先端部は後述の略コ字形のアーム５０の基端部５０ｂの前面側に形成された湾曲部５０ａに係脱するようになっている。また、ハンドル９０の前部には、透明なネームカバー９３が嵌着される。ネームカバー９３とハンドル９０との間にはネームシート９４（図４参照）が挟持される。なお、ハンドル９０は上述の鍔部９０ｃが形成されていることにより、ハンドル９０とカバー８０との間の隙間を隠すことができる。
ハンドル９０の前面には透光窓９１が形成され、透光窓９１には透光性を有する材料により形成された透光部材９２が取り付けられている。なお、ネームシート９４には、ハンドル９０の透光窓９１に対向する部位に孔９４ａを設けてある。
【００４８】
ところで、ハンドル９０の後面側にはコイルスプリング９６の一端側が嵌め込まれる凹部９７が形成されており、コイルスプリング９６の他端側は揺動体７３（図５参照）のばね支持部７５ａ，７５ｂ間で受けられている。揺動体７３はコイルスプリング９６の働きでハンドル９０の傾斜方向と逆方向に傾くようになっていて（図１（ｂ）及び図３（ｂ）参照）、ハンドル９０の揺動終点でコイルスプリング９６が、く字形または逆く字形に屈曲させられ、コイルスプリング９６が真っ直ぐな状態に戻ろうとする復元力によってハンドル９０がその位置で確実に固定されるようになっている。
【００４９】
ボディ１０は、図４に示すように、略中央に遅延素子収納部１２が形成され、遅延素子収納部１２の両側に端子収納部１３，１４が形成されている。遅延素子収納部１２には遅延素子２０が収納され、端子収納部１４には後述の端子６０1 ，６０2 が収納され、端子収納部１３には後述の端子６０3 ，６０4 が収納される。また、ボディ１０の前端部には、上述のアーム５０の基端部５０ｂから突設された回転軸５１1 ，５１2 （図６参照）が軸着される凹状の軸受部５５1 ，５５2 が形成されており、アーム５０を回動自在としている。
【００５０】
以下、遅延素子２０について説明する。
遅延素子２０は、図７に示すように、略コ字形のカード２６と、カード２６の移動時にカード２６の両脚片をガイドするガイド溝２１ｂ（図３（ｂ）及び図７及び図２４に示すリブ２１ａとリブ２１ａ’との間の溝）が形成された枠体２１と、カード２６を前方（図１（ｂ）の上方へ）付勢するコイルスプリングよりなる復帰ばね２７と、シリコンゴムなどのゴムにより形成され弾性的に撓むことができるようになっている吸盤ブロック２３と、吸盤ブロック２３の吸盤２３ｂの吸着面４３（図１（ｂ）参照）が吸着される八角柱状の被吸着体２４と、後述の空気透過部材３２と、後面開口した箱状であって吸盤２３ｂ及び被吸着体２４が収納される素子用ケース２２と、素子用ケース２２の後面に粘着テープなどにより接着される防塵用のフィルタ２５とを備えている。ここに、本実施形態では、素子用ケース２２の後面開口部がフィルタ２５により塞がれるので、素子用ケース２２の後方から素子用ケース２２の内部に塵や埃などの異物が侵入するのを防止することができる。なお、フィルタ２５はフッ素系繊維材料（テフロン繊維材料）により構成されている。ところで、吸盤ブロック２３は、上述の吸盤２３ｂ、吸盤２３ｂと一体に同じ材料により形成された吸盤カバー２３ａなどにより構成されている。ここに、吸盤２３ｂと吸盤カバー２３ａとを一体形成しているので、低コスト化が可能となる。
【００５１】
吸盤２３ｂは、空気透過部材３２が内部に圧入される円筒状の空気透過部材圧入部２３ｄが連続一体に形成されている。空気透過部材圧入部２３ｄの先端側には円筒状のシャフト４２が設けられている。シャフト４２の外周にはシャフト４２の軸方向と略平行する一対の棒状のカード保持用ピン４２ｂ（図２及び図７参照）が一体に形成されており、シャフト４２をカード２６に結合するには、シャフト４２を素子用ケース２２の前面に形成された挿通孔２２ｅ（図７参照）に後方から挿通させ、両カード保持用ピン４２ｂそれぞれの先端部をカード２６の基端部２６ｆにおいて後述の接触ばね押圧部２６ｃの両側に形成された挿通孔２６ｄに挿入してレーザなどにより加熱して固着すればよい。なお、吸盤ブロック２３は、吸盤カバー２３ａの前端部に鍔部２３ｃが形成されており、鍔部２３ｃが素子用ケース２２に対して固定される。
【００５２】
本実施形態では、カード２６とシャフト４２と吸盤ブロック２３とが結合されているので、カード２６の移動に応じて吸盤ブロック２３の形状が変化する（図１（ｂ）及び図３（ｂ）参照）。
ところで、カード２６の基端部２６ｆの後部には、カード２６とシャフト４２とを結合した状態で空気透過部材圧入部２３ｄの内部空間２３ｆとカード２６の外部との間の空気の通路を構成する切欠き部よりなる空気取込口２６ｅが形成されている。また、吸盤ブロック２３は、吸盤２３ｂの内周底面に上記内部空間２３ｆと連通する通気孔２３ｇが形成されており、吸盤２３ｂの内部空間と上記空気取込口２６ｅとの間が連通するようになっている。本実施形態では、空気透過部材圧入部２３ｄの内部空間２３ｆに、例えば多孔質セラミック（例えば、多孔質アルミナセラミック）よりなる空気透過部材３２（図１（ｂ）参照）が配設されている。ここに、空気透過部材３２はの形状は円柱状であって、外周をゴムチューブ３３によりシールしたものが上記内部空間２３ｆに圧入されている。
【００５３】
素子用ケース２２の前面には、図７に示すように、上記挿通孔２２ｅの周辺に復帰ばね２７の一端部が嵌め込まれるばね受け溝２２ｂが形成されている。一方、カード２６の基端部２６ｆの後面には略凹形の一対のばね受け溝２６ｂ（図２参照）が形成されていて、復帰ばね２７の他端部を保持するようになっている。ところで、遅延素子２０は、吸盤２３ｂが被吸着体２４に吸着した状態で吸盤２３ｂと被吸着体２４との間に形成される空間に、上記空気取込口２６ｅから上記内部空間２３ｆに入り込む空気が空気透過部材３２を通じて吸盤２３ｂの通気孔２３ｇから入り込むようになっている。したがって、アーム５０の両脚片よりなるカード押圧部５２がカード２６の両脚片よりなる被押圧部２６ａの先端から離れると、吸盤２３ｂの被吸着体２４への吸着力が徐々に弱くなり、この吸着力が復帰ばね２７の復元力よりも弱くなって吸盤２３ｂが被吸着体２４から離れるのである。
【００５４】
すなわち、アーム押圧片９０ｂの先端部がアーム５０の湾曲部５０ａの内周面に沿って湾曲部５０ａから脱するように移動して、アーム５０のカード押圧部５２がカード２６の被押圧部２６ａを離れた時点から所定時間（以下、遅れ時間と称す）遅れてカード２６が前方（図３（ｂ）における上方）へ移動するのである。したがって、上述の空気透過部材３２の空気の透過率やサイズ（断面積や長さ）、吸盤２３ｂの材料や、被吸着体２４の材料等を変えることで遅れ時間を調整することができるのである。
【００５５】
なお、本実施形態では、空気透過部材３２を上述のように多孔質セラミックにより構成してあり、空気の透過係数の温度依存や湿度依存が小さいので、使用環境の温度変化や湿度変化による遅れ時間の変動を小さくでき、遅れ時間を高精度にすることができる。
ところで、本実施形態では、吸盤カバー２３ａによって吸盤２３ｂと素子用ケース２２の外側とが仕切られているので、吸盤２３ｂと被吸着体２４との間に塵等の異物が侵入するのを防ぐことができ、吸盤２３ｂと被吸着体２４との吸着状態が安定し、遅れ時間を略一定にすることができる。
【００５６】
枠体２１は、例えば熱硬化性樹脂などにより構成され、両側面それぞれに前端から後端にわたってボディ１０に対する位置決め用突部２１ｃ（図４及び図６参照）が一体に突設されている。一方、ボディ１０は、図４に示すように、遅延素子収納部１２の内側面に、上記位置決め用突部２１ｃをガイドする位置決め溝１６ａが形成されている。
【００５７】
また、枠体２１は、上述のように内側面にカード２６の被押圧部２６ａ（両脚片）をスライド自在にガイドするガイド溝２１ｂが形成されており、遅延素子２０を組み立てた状態ではカード２６の被押圧部２６ａ，２６ａの先端が枠体２１の前面よりも突出するようになっている（図４参照）。また、枠体２１と素子用ケース２２とは、素子用ケース２２の前面の四隅近傍から前方へ突設された突部２２ｃによって位置決めされて固定される。
【００５８】
ボディ１０の端子収納部１４には速結端子よりなる上述の端子６０1 ，６０2 （図４参照）が納装されている。ここに、端子６０1 は、端子板６３ａと鎖錠ばね６１1 とで構成され、鎖錠ばね６１は、端子板６３ａと鎖錠ばね６１1 との間に電線挿入口１７1 （図３（ｃ）参照）に挿入された電線に食い込んで抜け止めをする鎖錠片６１ｂと、電線に弾接する接触片６１ａとを備えている。したがって、電線挿入口１７1 を通して鎖錠ばね６１1 と端子板６３ａとの間に、鎖錠片６１ｂ側から電線を挿入すると、接触片６１ａ及び鎖錠片６１ｂのばね力によって電線が端子板６３ａとの間に挟持され、かつ鎖錠片６１ｂが電線に食い込むことによって電線を引き抜くことができなくなる。同様に端子６０2 は端子板６３ｂと鎖錠ばね６１2 とで構成され、電線挿入口１７2 （図３（ｃ）参照）に挿入された電線が接触片６１ａ及び鎖錠片６１ｂのばね力によって端子板６３ａとの間に挟持される。また、端子収納部１４には、両鎖錠ばね６１1 ，６１2 に跨がるように解除釦６２ａが配設される。解除釦６２ａは両鎖錠ばね６１1 ，６１2 の鎖錠片６１ｂに当接しており、解除釦６２ａが鎖錠片６１ｂに当接する部位は鎖錠片６１ｂ，６１ｂが端子板６３ａ，６３ｂとの間に電線を挟持する部位からずれている。また、解除釦６２ａに対応する部位でボディ１０の後壁には操作孔１９（図３（ｂ），（ｃ）参照）が形成されており、操作孔１９にマイナスドライバの先端などを挿入して解除釦６２ａを押すことにより、電線に食い込んでいる鎖錠片６１ｂ，６１ｂを電線から圧接解除方向に撓ませて電線の引き抜きが可能となるようにしてある。
【００５９】
一方、端子収納部１３には、端子板６３ｃと一対の鎖錠ばね６１3 ，６１4 とで構成される速結端子よりなる一対の端子６０3 ，６０4 （図４参照）が納装されている。ここに、端子６０3 ，６０4 は端子板６３ｃを共通としている。端子６０3 は電線挿入口１７3 （図３（ｃ）参照）に挿入された電線が鎖錠ばね６１3 の接触片６１ａ及び鎖錠片６１ｂのばね力によって端子板６３ｃとの間に挟持され、端子６０4 は電線挿入口１７4 （図３（ｃ）参照）に挿入された電線が鎖錠ばね６１4 の接触片６１ａ及び鎖錠片６１ｂのばね力によって端子板６３ｃとの間に挟持される。また、端子収納部１３には、端子収納部１４と同様に両鎖錠ばね６１3 ，６１4 に跨がるように解除釦６２ｂが配設され、ボディ１０の後壁には操作孔１９（図３（ｂ），（ｃ）参照）が形成されている。
【００６０】
本実施形態では、端子収納部１４と端子収納部１３とがケース１の両端部側に離間して設けられているので、端子６０1 ，６０2 と端子６０3 ，６０4 との間の絶縁性を高めることができる。
上述の端子板６３ａ，６３ｂは、それぞれ別の固定接点６４ａ，６４ｂを有し、ケース１内において異なるスイッチ機構を形成している。なお、端子板６３ｃに結合される短冊状の接触ばね７０（図８参照）は、遅延素子２０がない状態では可動接点７２が端子板６３ａの固定接点６４ａに接触し所定の接点圧が得られるように付勢されている。
【００６１】
ただし、接触ばね７０は、遅延素子２０のカード２６の接触ばね押圧部２６ｃの前方を通るように端子板６３ｃから延出されているので、接触ばね７０が接触ばね押圧部２６ｃにより前方に押し上げられた状態では、可動接点７２が端子板６３ａの固定接点６４ａから離れるようになっている。ここで、接触ばね７０、可動接点７２、固定接点６４ａで１つのスイッチ機構（遅れスイッチ機構）を構成している。
【００６２】
また、端子板６３ｃの前端部からはリード板６５が一体に延出されており、リード板６５の先端に形成された凸状部６６の両側部の立ち上がり部６６ａに揺動体７３の切欠き７３ａ（図５参照）が係合し、この凸状部６６を支点として、揺動体７３が揺動自在となっている。一方、揺動体７３には、可動接点７４が固着される折曲片７３ｂが一体に折曲形成されており、ハンドル９０の操作に応じて、揺動体７３先端の後面に形成された可動接点７４と端子板６３ｂの固定接点６４ｂとが接離するようになっている。なお、上述の一対のばね支持部７５ａ，７５ｂは、ばね支持部７５ａの長さをばね支持部７５ｂよりも長くすることにより、ばね支持部７５ａ側の折曲片７３ｂに設けられた可動接点７４と固定接点６４ｂとの接点圧を向上させている。リード板６５は枠体２１の前部に形成された一対の支持片２１ｅ（図４参照）から突設された柱状の端子仮保持用リブ２１ｇにより仮保持される。
【００６３】
端子板６３ａは、固定接点６４ａが設けられた部位の一部が枠体２１に形成された切欠部２１ｆ（図７参照）により支持されて位置決めなされ、接触ばね７０は、枠体２１の前部に形成された一対の支持片２１ｅの間の空間で可動して可動接点７２が固定接点６４ａと接離するようになっている。
なお、ハンドル９０の後部にはネオンランプなどの発光素子７７が実装されたプリント配線板７６が配設され、発光素子７７の一方のリードはプリント板７６の導電パターン及びリード線（図示せず）を介して抵抗７９の一方のリードに接続されている。抵抗７９の他方のリードは端子板６３ｃにリード線（図示せず）により接続されている。また、発光素子７７の他方のリードは略Ｓ字形の板ばね７８（図４及び図９参照）に電気的に接続される。ここに、板ばね７８は導電性を有し一端部７８ａがプリント配線板７６の接続孔７６ａに挿通されプリント配線板７６の導電パターンを介して発光素子７７の上記他方のリードに接続されている。すなわち、板ばね７８と発光素子７７と抵抗７９と端子板６３ｃとが直列接続されている。ところで、板ばね７８はハンドル９０の操作に応じて端子板６３ａに接離する接触部７８ｃを有し、該接触部７８ｃは遅れスイッチのオフ状態（図１参照）では端子板６３ａに接触しており、遅れスイッチのオン状態（図３参照）では端子板６３ａから離れている。
【００６４】
また、発光素子７７は、ハンドル９０の後面側に結合されるプリント配線板７６に実装されてハンドル９０の透光窓９１に対向する位置に配設されているので、透光部材９２を通じて外部へ光が照射されるようになっている。したがって、本実施形態の遅れスイッチのオフ状態では、夜などの周囲が暗い場合であっても、発光素子７７の光によってケース１の位置を確認できるようになっている。
【００６５】
以下、空気透過部材３２、吸盤ブロック２３、素子用ケース２２、被吸着体２４、フィルタ２５、カード２６、枠体２１についてさらに詳述する。
空気透過部材３２は、外周にゴムチューブ３３を設けずに上記内部空間２３ｆに圧入するようにしてもよく、ゴムチューブ３３を設けない場合について説明する。
【００６６】
吸盤ブロック２３は、シリコンゴムなどのゴムにより形成され、図１０に示すように、吸盤２３ｂの吸盤首部２３ｐ（連結部）から円筒状の空気透過部材圧入部２３ｄが連続一体に突設されている。吸盤ブロック２３と円筒状のシャフト４２とは一体成形している。ここに、シャフト４２はナイロン樹脂（例えば、６６ナイロンなど）により形成されており、シャフト４２の適宜位置に接着剤を塗布して吸盤ブロック２３をシャフト４２に一体成形している。このため、吸盤ブロック２３とシャフト４２とを強固に且つ確実に結合することができる。なお、吸盤ブロック２３の空気透過部材圧入部２３ｄの先端は外形が細い結合部２３ｎとなっている。シャフト４２は、外周に軸方向と略平行する一対の棒状のカード保持用ピン４２ｂが連続一体に形成されている。シャフト４２をカード２６（図７参照）に結合するには、シャフト４２を素子用ケース２２（図７参照）の前面に形成された挿通孔２２ｅに後方から挿通させ、両カード保持用ピン４２ｂそれぞれの先端部をカード２６の基端部２６ｆにおいて接触ばね押圧部２６ｃの両側に穿孔された挿通孔２６ｄに挿入して、レーザ光などによりカード保持用ピン４２ｂを加熱して溶かすことによって溶着すればよい。本実施形態では、シャフト４２の色を黒色にしてあるので、シャフト４２にてレーザ光を効率良く吸収することができ、シャフト４２がレーザ光にて溶けやすく、カード２６との結合を効率的に且つ確実に行うことができる。
【００６７】
なお、吸盤ブロック２３は、吸盤カバー２３ａの前端部に鍔部２３ｃが形成されており、鍔部２３ｃが素子用ケース２２に対して固定される（図３（ｂ）参照）。また、吸盤２３ｂは、図１１に示すように、吸着面４３側に鍔部２３ｍが形成されており、吸着面４３以外の部位に破線で示すパーティングラインＰＬが設けられている。したがって、吸盤ブロック２３の成型にともなうバリが吸着面４３に発生するのを防止することができ、また、バリを除去する際に吸着面４３に傷がつくのを防止することができるから、被吸着体２４への吸盤２３ｂの吸着状態を安定させることができ、遅れ時間の精度を高めることができる。
【００６８】
また、吸盤ブロック２３は、図１０に示すように、空気透過部材３２の外径よりも内径が大きく遅延素子２０の組み立て時に空気透過部材３２を仮保持可能な空気透過部材仮保持空間５６が形成されており、空気透過部材圧入部２３ｄの内部空間２３ｆへの空気透過部材３２の圧入を効率良く確実に行うことができる。ここに、空気透過部材仮保持空間５６は上述の結合部２３ｎの内部空間とシャフト４２の回り込み防止部４２ｃの内部空間とで構成され、結合部２３ｎとシャフト４２とで空気透過部材導入部を構成している。空気透過部材導入部の内面は導入口側にテーパ部５８（図１２参照）が形成されているので、吸盤ブロック２３への空気透過部材３２の挿入を効率良く行うことができ、組み立てに要する時間を短くすることができる。さらに、空気透過部材３２を空気透過部材圧入部２３ｄの内部空間２３ｆへ圧入する圧入口側にはテーパ部５７が形成されているので、内部空間２３ｆへの空気透過部材３２の圧入を低荷重で確実に行うことができ、歩留りが向上する。また、シャフト４２に回り込み防止部４２ｃを設ける替わりに、図１３に示すように、結合部２３ｎの前端部に溝５９を設けることによって、結合部２３ｎを構成するゴムがシャフト４２とカード２６との接触面に回り込むのを防止するようにしてもよい。
【００６９】
また、吸盤ブロック２３は、空気透過部材圧入部２３ｄとシャフト４２との位置がオーバーラップしない形状としてあるので、組み立て時に、空気透過部材圧入部２３ｄの内部空間２３ｆへの空気透過部材３２の圧入を低荷重で確実に行うことができ、歩留りが向上する（オーバーラップしていると、空気透過部材圧入部２３ｄが拡がろうとするのをシャフト４２の内周面が規制するので、圧入が難しくなる）。また、シャフト４２の前端部に回り込み防止４２ｃを形成して空気透過部材圧入部２３ｄがシャフト４２の前端側の開口面に回り込まないようにしてあるので、カード２６とシャフト４２との間に吸盤ブロック２３を構成するゴムが介在せず、カード２６の位置決めを精度良く行うことができる。
【００７０】
また、吸盤２３ｂと空気透過部材圧入部２３ｄとの連結部である吸盤首部２３ｐの外周は０．２ｍｍ以上のＲが形成されており、吸盤首部２３ｐの外側面が滑らかな凹状となっているので、吸盤ブロック２３の成型の離型時に吸盤首部２３ｐにかかる応力を小さくすることができ、離型時に吸盤首部２３ｐが切断してしまう不良をなくすことができる。さらに、吸盤首部２３ｐの外径Ｈ3 （図１０参照）をシャフト４２の外径Ｈ4 以上の寸法に形成することにより、吸盤ブロック２３の成型の離型時に吸盤首部２３ｐにかかる応力を緩和することができ、吸盤首部２３ｐが切断してしまう不良をなくすことができる。また、吸盤カバー２３ａと吸盤２３ｂとの連結部の外側面５３（図１０（ｂ）参照）は０．２ｍｍ以上のＲが形成されており、滑らかな凹状となっているので、吸盤ブロック２３の成型の離型時に吸盤カバー２３ａと空気透過部材圧入部２３ｄとの連結部にかかる応力を緩和でき、吸盤カバー２３ａの破損による不良をなくすことができる。また、吸盤ブロック２３は、吸盤首部２３ｐに空気透過部材３２後端（図１０（ｂ）における下端）が一致するように空気透過部材３２が配設されているので、つまり、空気透過部材圧入部２３ｄの軸方向において吸盤２３ｂ側に空気透過部材３２が配設されているので、空気透過部材３２を配設したことによる吸盤ブロック２３の変形への影響を少なくすることができる。また、吸盤２３ｂが被吸着体２４に吸着している時に空気透過部材圧入部２３ｄの内部空間２３ｆに残留している空気の量が多くなり、同じ遅れ時間を実現するために空気透過係数の小さな空気透過部材３２を使用することができる。なお、本実施形態では、空気透過部材圧入部２３ｄが吸盤２３ｂの被吸着体２４側への押し込み量のばらつきを吸収する寸法ばらつき吸収手段を兼ねており、各部の寸法ばらつきにより生じる吸盤２３ｂの押し込み量のばらつきを別部材を付加することなしに低コストで吸収し、遅れ時間のばらつきを抑制することができる。
【００７１】
また、シャフト４２は、空気透過部材圧入部２３ｄ側のシャフト４２の端面と、シャフト４２の内周面の一部とが吸盤ブロック２３との接着部を構成しているので、シャフト４２の端面だけを接着部とする場合に比べて接着部の面積を増やすことができ、シャフト４２と吸盤ブロック２３との接着強度が増し、耐久信頼性が向上する。シャフト４２の外周に吸盤ブロック２３を構成するゴムを付けないようにしてあるので、吸盤ブロック２３離型時の離型性が向上し、歩留りが向上する。また、シャフト４２は、カード保持用ピン４２ｂを２箇所に設けてあるので、シャフト４２とカード２６とを強固にスペース効率良く結合することができる。なお、カード保持用ピン４２ｂを図１４に示すように２組（４つ）設ければ、シャフト４２とカード２６とを結合する際にいずれか一組のカード保持用ピン４２ｂをカード２６の挿通孔２６ｄに挿入すればよいから、組み立て性が向上する。
【００７２】
素子用ケース２２は、図１５に示すように、後面が開口した直方体状の形状であって、上述のばね受け溝２２ｂ（図１５（ｂ）参照）の周壁と素子用ケース２２の内側面との間に、吸盤カバー２３ａの鍔部２３ｃが圧入される圧入用凹部２２ｇが円環状に形成されている。したがって、吸盤カバー２３ａは、素子用ケース２２に対して鍔部２３ｃの全周が圧入されるので、塵、埃などの異物が吸盤２３ｂと被吸着体２４との間の侵入するのを確実に防ぐことができ、遅れ時間の精度を高めることができる。また、素子用ケース２２と吸盤カバー２３ａの鍔部２３ｃとを、吸盤カバー２３ａの図１６（ｂ）の矢印Ａの向きへの復帰力により素子用ケース２２に対して密着シールするようにすれば、鍔部２３ｃを圧入用凹部２２ｇに圧入することなしに挿入するだけでよく、より簡単に、吸盤２３ｂと被吸着体２４との間に塵や埃などの異物が侵入するのを防止することができる。また、図１７に示すように、圧入用リブ２３ｅを鍔部２３ｃから突設することにより、圧入用リブ２３ｅの部分を圧入し、鍔部２３ｃの前端面が素子用ケース２２の圧入用凹部２２ｇの底面に密着シールするようにしてもよい。なお、本実施形態では、圧入用リブ２３ｅが素子用ケース２２への装着位置決め用リブを兼ねている。
【００７３】
ところで、素子用ケース２２の後部には、被吸着体２４が圧入される圧入部２２ｆ（図１５（ｂ）参照）が形成されており、遅延素子２０の組み立て時には、被吸着体２４が圧入部２２ｆに圧入されるので、被吸着体２４が素子用ケース２２に仮止めされ、フィルタ２５の装着が容易となる。なお、圧入部２２ｆは、被吸着体２４の側面に圧接する圧入用リブ２２ｈが突設されている。また、被吸着体２４の形状は図１８に示すように八角柱状としたので、底面が四角形の素子用ケース２２に対して、フィルタ２５の接着面積を確保することがき、さらに、素子用ケース２２の薄肉部を少なくすることができ、素子用ケース２２の強度を高めることができる。
【００７４】
被吸着体２４は、上述のようにフッ素樹脂（テフロン樹脂）により形成されているので、被吸着体２４の表面粗さ、摩擦係数を小さくすることができ、吸盤２３ｂが吸着される被吸着面の摩耗を抑制することができるから、遅れ時間の変動を防止することができる。また、本実施形態では、被吸着体２４の吸盤２３ｂが吸着される被吸着面の表面粗さを６Ｓ以下とすることにより、被吸着体２４への吸盤２３ｂの吸着力のばらつきを極めて小さくすることができ、被吸着面の表面粗さに起因した遅れ時間のばらつきを抑制することができる。また、被吸着体２４の被吸着面が、図１９に示すように、該被吸着面の基準平面に対して±０．０２ｍｍの平面間に収まるようにすれば（つまり、平面度を０．０４ｍｍとすれば）、被吸着体２４への吸盤２３ｂの吸着力のばらつきを極めて小さくすることができ、遅れ時間のばらつきを抑制することができる。また、被吸着体２４は、平板を打ち抜いて構成することにより、成形でつくる場合に比べてコストを安くすることができる。
【００７５】
空気透過部材３２は、円柱状の形状であって、図２０に示すように、軸方向の両端部に面取り部３２ａを形成することにより、方向性を気にせずに容易に吸盤ブロック２３の空気透過部材圧入部２３ｄへ圧入することができる。また、空気透過部材３２を図２１に示すように、円柱状であって両端部３２ｂの断面積が中間部３２ｃの断面積よりも大きな形状に形成すれば、空気透過部材３２の端面への汚れや埃などのの付着による遅れ時間の変動を抑制することができる。なお、両端部３２ｂのうち一方だけを中間部３２ｃよりも断面積の大きな形状としてもよい。
【００７６】
なお、復帰ばね２７として、図２２に示すようないわゆる円錐ばねを用いれば、復帰ばね２７がカード２６により押し込まれたときの復帰ばね２７の密着長が小さいので、空気透過部材圧入部２３ｄの軸方向と平行な方向における復帰ばね２７のスペースを小さくすることができ、遅延素子２０の高さを低くすることができる（図２２の上下方向の幅を小さくすることができる）。
【００７７】
カード２６は、図２３に示すように、略コ字形の形状であって、カード２６を枠体２１に挿入する際に逆向きに挿入するトラブルを防止するための一対の逆挿入防止用リブ２６ｇが突設されている。ここに、カード２６は、図２４に示す枠体２１の前方（図２４（ｂ）の上方）から挿入する際に左右逆向きに挿入しようとすると、逆挿入防止用リブ２６ｇが枠体２１のリブ２１ａに当接して挿入できないようになっている。なお、リブ２１ａ間の距離はリブ２１ａ’間の距離に比べて小さくなっている。
【００７８】
また、カード２６は、被押圧部２６ａ（アーム押圧用突起部）の内側面２６ｉにテーパを設けてあり、被押圧部２６ａの強度を確保しつつ被押圧部２６ａ間の空間を広く確保するようになっており、該空間に他の部材（端子など）を効率的に配置することが可能となる。また、カード２６は、接触ばね押圧部２６ｃの先端部をシャフト４２のセンタｍ（図２３（ｃ）参照）からずらしてあるので、接点ばね７０を駆動する駆動点をカード２６の形状により最適化することが可能となる。なお、カード２６は、全体を略均肉厚になるように構成されているので、カード２６の成形時に生じる反りを抑制することができる。また、カード２６は、シャフト４２との結合時にレーザ光により加熱されて溶けた樹脂（シャフト４２を構成する樹脂）を逃がすための樹脂逃げ用溝２６ｈを被押圧部２６ａと接点ばね押圧部２６ｃとの間に形成してあるので、該溶けた樹脂が接触ばね押圧部２６ｃの先端部に回り込むのを防止でき、接触ばね押圧部２６ｃによる接触ばね７０のリフト量（押し上げる距離）が変動するのを防止することができる。
【００７９】
枠体２１は、図２４に示すように、上述の支持片２１ｅの前面から端子仮保持用リブ２１ｇが突設されており、組み立て時に端子板６３ｃに結合された接触ばね７０のばね力により端子板６３ｃがボディ１０から浮き上がるのを防止し、組み立て性を良くすることができる。
また、枠体２１は、一側面に、端子板６３ａ，６３ｂの脚部６３ａ1 ，６３ｂ1 （図４参照）が圧入される凹状の端子板脚部受け部４６1 ，４６2 （端子板受け部）が形成され、枠体４２の反対側の側面には、端子板６３ｃの脚部６３ｃ1 ，６３ｃ2 （図４参照）が圧入される凹状の端子板脚部受け部４６3 ，４６4 （端子板受け部）が形成されているので、端子板６３ａ，６３ｂ，６３ｃに生じる力を枠体２１により確実に受け止めることができ、上述の端子６０1 〜６０4 の信頼性を確保することができる。なお、端子仮保持用リブ２１ｇの形状を図２５に示すように円柱状の形状とすれば、端子６３ｃ（リード板６５）と端子仮保持用リブ２１ｇが線接触するから、端子板６３ｃをスムーズに圧入でき、組み立て時に接触ばね７０のばね力により端子板６３ｃが浮き上がるのを防止し、組み立て性を良くすることができる。また、端子仮保持用リブ２１ｇの形状を図２６に示すような直方体状としてもよく、この場合には端子板６３ｃと端子仮保持用リブ２１ｇとが面接触することにより端子板６３ｃを強固に圧入でき、組み立て時に接触ばね７０の力によって端子板６３ｃがボディ１０から浮き上がるのを防止し、組み立て性を良くすることができる。
【００８０】
さらに、枠体２１には、鎖錠ばね６１1 〜６１4 が倒れるのを防止するための錠ばね倒れ防止用リブ４８が側面に突設してあるので、組み立て時に鎖錠ばね６１1 〜６１4 を配置した後で鎖錠ばね６１1 〜６１4 が倒れる（傾く）のを防止することができ、組み立て性が向上する。
また、枠体２１は、ボディ１０に圧入されるようになっており、ボディ１０の遅延素子収納部１２への逆挿入を防止するための位置決め用突部２１ｃ（逆挿入防止リブ）が側面の一端側に突設してあり、ボディ１０には、位置決め用突部２１ｃを位置決めする位置決め溝１６ａ（図４参照）が形成されているので、ボディ１０への枠体２１の逆挿入を防止することができる。しかも、枠体２１は、ボディ１０の内側面に圧接するので、組み立て時に接触ばね７０のばね力により枠体２１がボディ１０の底面から浮き上がるのを防止することができ、組み立て性を良くすることができる。
【００８１】
また、枠体２１には、上述のリブ２１ａからリブ２１ｉ（図２４（ｃ）参照）が一体に突設されており、リブ２１ｉの後端面と、上述の支持片２１の後端面とが同一平面上に形成されており、組み立て時に、図２７に示すように、復帰ばね２７のばね力に抗して復帰ばね２７を枠体２１の後端面に対して略平行に仮保持することができる。なお、リブ２１ｉ及び支持片２１ｅが仮保持用リブを構成している。本実施形態では、枠体２１に仮保持用リブを設けたことにより、遅延素子２０の組み立て時において、カード２６が復帰ばね２７のばね力によりシャフト４２から離れるのを防止でき（シャフト４２のカード保持ピン４２ｂがカード２６の挿通孔２６ｄから抜けるのを防止でき）、カード２６とシャフト４２とを容易に結合できるようになっている。なお、枠体２１は、全体が略均肉厚に形成されているので、枠体２１の反りを抑制することができ、枠体２１の反りによるカード２６の摺動抵抗（カード２６の移動に伴って被押圧部２６ａとガイド溝２１ｂとの間に発生する摺動抵抗）の増加を防止することができ、遅れ時間の変動を抑制することができる。しかも、枠体２１は、アーム５０の干渉を避ける段差２１ｈが形成されているので、カード２６のガイド溝２１ｂの長さ（枠体２１の前後方向における長さ）を長くとりつつ、アーム５０の動作スペースを確保することができる。なお、枠体２１は、後面（素子用ケース２２の前面との接触面）以外の部位に成型時における金型のゲートを配しているので、枠体２１の後面にはゲート跡が残ることがなく、枠体２１のゲート跡により素子用ケース２２の前面と枠体２１の後面との間に隙間が生じるのを防止することができ、組み立て寸法が狂うのを防止することができる。
【００８２】
防塵用のフィルタ２５は、図２８に示すように外形が矩形状であって、フッ素系繊維材料（テフロン繊維材料）により構成されており、平均孔径を１μｍ以下にすることができ、しかも耐環境性に優れ且つ空気抵抗の低い防塵用のフィルタを実現することができる。フィルタ２５の一面には薄い粘着テープ３９が設けられており、粘着テープ３９により素子用ケース２２の後端面に接着されるようになっているので、組み立て時に、容易に且つ気密的にフィルタ２５を素子用ケース２２に装着することができる。しかも、フィルタ２５を装着することにより、フィルタ２５が素子用ケース２２の蓋として機能し素子用ケース２２を密閉構造とすることができ、吸盤２３ｂと被吸着体２４との間に塵や埃などの異物が侵入するのを防止することができる。
【００８３】
ところで、本実施形態では、図２９に示すように、ボディ１０において遅延素子２０が収納される遅延素子収納部１２（図４参照）の幅Ｈ1を、端子収納部１３，１４（図４参照）の幅Ｈ2よりも大きくしてあるので、吸盤２３ｂの外径を大きくとることにより、吸盤２３ｂの寸法ばらつきによる遅れ時間の変動を少なくすることができ、同一遅れ時間を実現する場合に、空気の透過係数の大きな空気透過部材３２を用いることができるから、透過係数のばらつきによる遅れ時間の変動も抑制することができる。
【００８４】
次に、本実施形態の遅れスイッチの動作を説明する。
図１及び図２は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによって図３に示すように揺動体７３に設けられた可動接点７４が端子板６３ｂの固定接点６４ｂと接触してこの電路がオン状態になるとともに、アーム押圧片９０ｂが回動することによってアーム５０が回動してアーム５０の先端のカード押圧部５２がカード部２６の被押圧部２６ａを押し、復帰ばね２７の付勢力に抗してカード２６が移動し（図１（ｂ）における下方へ押し下げられ）、接触ばね７０の可動接点７２が端子板６３ａの固定接点６４ａに接触してこの電路がオン状態になるのである。また、カード２６が移動することにより、吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００８５】
一方、図３は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が逆方向に傾くことによって図１に示すように揺動体７３に設けられた可動接点７４が端子板６３ｂの固定接点６４ｂから開離して、上述の遅れ時間が経過すると、復帰ばね２７の復元力によってカード２６が前方へ移動し接触ばね押圧部２６ｃが接触ばね７０を前方へ押すので、可動接点７２が固定接点６４ａから開離されこの電路（スイッチ機構）もオフ状態になる。
【００８６】
しかして、本実施形態の遅れスイッチでは、ハンドル９０によるセット解除操作時には、吸盤２３ｂの被吸着体２４への吸着力と復帰ばね２７のばね力とのバランスにより吸盤２３ｂが被吸着体２４から離れるまでに遅れ時間があるので、従来のようなギアが不要となり、従来の遅延ユニットを有する遅れスイッチに比べて構成が簡単で信頼性が高く、低コスト化が図れるとともに、騒音が小さくなる。本実施形態の遅れスイッチを例えばトイレの換気扇及び照明負荷の操作に用いる場合、端子６０3 と端子６０4 とは共通の端子板６３ｃを有しているので、端子６０2 に照明負荷を接続し、端子６０1 に換気扇を接続すればよい。この場合、ハンドル９０をオン操作（セット操作）すると、照明負荷が点灯するとともに換気扇が運転され、ハンドル９０をオフ操作（セット解除操作）すると、照明負荷だけ直ちに消灯され、遅れ時間の経過後に換気扇が停止される。したがって、換気扇を直ちに止めたときに生じる不便をなくし、しかも換気扇の消し忘れを防止することができる。なお、この遅れスイッチは、トイレ以外の種々の場所での使用も可能である。また、遅れ時間は、使用環境や使用目的に合わせて適宜設定すればよい。
【００８７】
（実施形態２）
図３０乃至図３３に示す本実施形態の遅れスイッチの基本構成及び基本動作は実施形態１と略同じであり、スイッチ機構を遅延素子２０に関係する１つだけにした点が相違する。つまり、本実施形態では、実施形態１で説明した端子板６３ｂ及び固定接点６４ｂを備えていない点と、端子板６３ａの形状及び揺動体７３の形状が実施形態１と相違する。なお、実施形態１と同様の構成要素には同一の符号を付し説明を省略する。
【００８８】
本実施形態の遅れスイッチにおける揺動体７３は、図３４に示すような略コ字形の形状であって、実施形態１のような折曲片７３ｂ（図５参照）がなく可動接点７４は備えていない。なお、図３５はカバー８０を取り外した状態の平面図である。
次に、本実施形態の遅れスイッチの動作を説明する。
図３０及び図３１は本実施形態の遅れスイッチのオフ状態を示し、この状態で操作部たるハンドル９０をオン操作（セット操作）すると、ハンドル９０のアーム押圧片９０ｂが回動し、アーム押圧片９０ｂの先端部がアーム５０の湾曲部５０ａに沿って移動する。しかして、ハンドル９０をオン操作すると、コイルスプリング９６が逆方向に傾くことによってアーム押圧片９０ｂによりアーム５０が回動してアーム５０の先端のカード押圧部５２がカード部２６の被押圧部２６ａを押し、復帰ばね２７の付勢力に抗してカード２６が移動し（図３０（ｂ）における下方へ押し下げられ）、接触ばね７０の可動接点７２が端子板６３ａの固定接点６４ａに接触してこの電路がオン状態になるのである。また、カード２６が移動することにより、吸盤２３ｂが被吸着体２４に接する位置まで押し下げられて吸盤２３ｂが被吸着体２４に吸着し、カード２６が押し下げられている状態では、吸盤２３ｂが被吸着体２４に吸着保持される。
【００８９】
一方、図３２は本実施形態の遅れスイッチのオン状態を示し、この状態でハンドル９０をオフ操作（セット解除操作）すると、アーム押圧片９０ｂの先端部がアーム５０の湾曲部５０ａに沿って湾曲部５０ａから脱するように移動することによりアーム５０が回動し、アーム５０のカード押圧部５２がカード２６の被押圧部２６ａから離れるように移動する。しかして、ハンドル９０をオフ操作すると、コイルスプリング９６が逆方向に傾き、上述の遅れ時間が経過すると、復帰ばね２７の復元力によってカード２６が前方へ移動し接触ばね押圧部２６ｃが接触ばね７０を前方へ押すので、可動接点７２が固定接点６４ａから開離されこの電路（スイッチ機構）がオフ状態になる。
【００９０】
本実施形態の遅れスイッチを例えば玄関などにおける照明負荷の操作に用いる場合には、端子６０1 と端子６０3 （又は端子６０4 ）との間に照明負荷を接続すればよい。この場合、ハンドル９０をオン操作（セット操作）すると、照明負荷が点灯し、ハンドル９０をオフ操作（セット解除操作）すると、遅れ時間の経過後に照明負荷が消灯される。したがって、例えば外出時や帰宅時に照明負荷を点灯させた後にハンドル９０をオフ操作した場合、照明負荷が消灯されるまでに遅れ時間があるので、人が玄関から離れる前に照明負荷が消灯されてしまうような不都合をなくすことができる。
【００９１】
【発明の効果】
請求項１の発明は、操作部と、操作部のセット操作に連動して移動する吸盤と、該吸盤と共動してスイッチ機構を開閉するカードと、該移動した吸盤を吸着保持する被吸着体と、吸盤が被吸着体から離れる方向に吸盤を付勢する復帰ばねと、スイッチ機構が電気的に接続される端子とを備え、操作部によるセット解除操作時には、吸盤の被吸着体への吸着力と復帰ばねのばね力とのバランスにより吸盤が被吸着体から離れるまでに遅れ時間があるので、吸盤の被吸着体への吸着力と復帰ばねのばね力とのバランスにより遅れ時間が決まるから、従来のようなギアが不要となり、従来の遅延ユニットを有する遅れスイッチに比べて構成が簡単で信頼性が高く、低コスト化が図れるとともに、騒音が小さくなるという効果がある。また、従来のようなギアが必要ないので、操作部の操作がスムーズになるという効果がある。
また、少なくとも吸盤及び被吸着体及びカード及び復帰ばねにより構成される遅延素子の要所を囲む枠体を備え、端子は、スイッチ機構が電気的に接続され且つ外部電線が接続される端子板と、端子板に外部電線を圧接接続する鎖錠ばねとで構成され、枠体は、端子板を仮保持する端子仮保持用リブが操作部側の前端部に形成されているので、組み立て時に端子板を仮保持することにより、組み立て性が向上するという効果がある。
【００９２】
請求項２の発明は、請求項１の発明において、吸盤が被吸着体に吸着した状態において吸盤と被吸着体との間に形成される内部空間へ連通する空気流通経路に配設される空気透過部材を備え、吸盤に連結され空気透過部材が内部に圧入される筒状の空気透過部材圧入部を有するので、空気透過部材の材料やサイズを変えることにより遅れ時間を調整することができ、しかも空気透過部材の位置決めが容易であるという効果がある。
【００９３】
請求項３の発明は、請求項２の発明において、吸盤は、空気透過部材が導入される筒状の空気透過部材導入部を有し、空気透過部材導入部の内面は導入口側にテーパが形成されているので、吸盤内部への空気透過部材の導入を効率良く行うことができ、組み立てに要する時間を短くすることができるという効果がある。請求項４の発明は、請求項２又は請求項３の発明において、吸盤は、空気透過部材を圧入する筒状の空気透過部材圧入部を有し、空気透過部材圧入部の内面は圧入口側にテーパが形成されているので、吸盤内部へ空気透過部材を圧入することにより空気透過部材の位置決めが容易になり、また、空気透過部材圧入部の内面の圧入口側にテーパが形成されていることにより、組み立て時に吸盤内部への空気透過部材の圧入を低荷重で確実に行うことができ、歩留りが向上するという効果がある。
【００９４】
請求項５の発明は、請求項１の発明において、カードと吸盤との間に介在するシャフトを備え、吸盤とシャフトとは一体成形されているので、吸盤とシャフトとの結合力を高めることができるという効果がある。
【００９５】
請求項６の発明は、請求項５の発明において、吸盤が被吸着体に吸着した状態において吸盤と被吸着体との間に形成される内部空間へ連通する空気流通経路に配設される空気透過部材を備え、吸盤は、軸方向においてシャフトとオーバーラップしない部位に空気透過部材が内部に圧入される筒状の空気透過部材圧入部が形成されているので、吸盤の空気透過部材圧入部とシャフトとの位置がオーバーラップすることがなく、組み立て時に吸盤内部への空気透過部材の圧入を低荷重で確実に行うことができ、歩留りが向上するという効果がある。
【００９６】
請求項７の発明は、請求項１の発明において、カードと吸盤との間に介在する筒状のシャフトを備え、シャフトは軸方向においてカード側の端面への吸盤の一部の回り込みを防止する回り込み防止手段が設けられているので、カードとシャフトとの間に吸盤の一部が介在することがなく、シャフトに対するカードの位置決め精度が向上するという効果がある。
【００９７】
請求項８の発明は、請求項２の発明において、吸盤は、空気透過部材圧入部の圧入口側に空気透過部材を仮保持可能な空気透過部材仮保持空間が形成されているので、組み立て時に空気透過部材の圧入を効率良く確実に行うことができるという効果がある。
請求項９の発明は、請求項２の発明において、吸盤は、被吸着体に吸着する吸着部と空気透過部材圧入部とが連続一体に形成され、吸着部と空気透過部材圧入部との連結部の外側面が滑らかな凹状に形成されているので、吸盤の成型の離型時に吸着部と空気透過部材圧入部との連結部にかかる応力を小さくすることができ、離型時に連結部が切断されるのを防止することができるという効果がある。
【００９８】
請求項１０の発明は、請求項２の発明において、カードと吸盤との間に介在する筒状のシャフトを備え、吸盤は、被吸着体に吸着する吸着部と空気透過部材圧入部とが連続一体に形成され、吸着部と空気透過部材圧入部との連結部の外径がシャフトの外径よりも大きく形成されているので、吸盤の成型の離型時に吸着部と空気透過部材圧入部との連結部にかかる応力を小さくすることができ、離型時に連結部が切断されるのを防止することができるという効果がある。
【００９９】
請求項１１の発明は、請求項２の発明において、少なくとも吸盤及び被吸着体を収納する素子用ケースと、吸盤の吸着面側と素子用ケースの外側との間を仕切る吸盤カバーを備え、吸盤カバーと空気透過部材圧入部とが連続一体に形成され、吸盤カバーと空気透過部材圧入部との連結部の外側面が滑らかな凹状に形成されているので、吸盤の成型の離型時に吸盤カバーと空気透過部材圧入部との連結部にかかる応力を緩和でき、吸盤カバーの破損などの不良をなくすことができるという効果がある。
【０１００】
請求項１２の発明は、請求項１の発明において、吸盤は、吸着面以外の部位にパーティングラインが設けられているので、成型にともなうバリが吸着面に発生するのを防止することができ、バリを除去する際に吸着面に傷がつくのを防止することができるから、被吸着体への吸盤の吸着状態を安定させることができ、遅れ時間の精度を高めることができるという効果がある。
【０１０１】
請求項１３の発明は、請求項１の発明において、カードと吸盤との間に介在する筒状のシャフトを備え、シャフトの吸盤側の端面とシャフトの内周面の一部とが吸盤との接着部を構成しているので、シャフトの吸盤側の端面だけを吸盤との接着部とする場合に比べて接着部の面積を増やすことができ、シャフトと吸盤との接着強度が増し、耐久信頼性が向上するという効果がある。
【０１０２】
請求項１４の発明は、請求項５の発明において、シャフトは、少なくともカード側の端面及び側面を除いた部位が吸盤の一部に当接されているので、シャフトの外周に吸盤の一部が付くことがなく、吸盤の離型時の離型性が向上し、歩留りが向上するという効果がある。
請求項１５の発明は、請求項１の発明において、カードと吸盤との間に介在するシャフトを備え、シャフトは、軸方向に略平行でカードを保持する２つのカード保持用ピンを有し、カードは、カード保持用ピンが挿入される一対の挿通孔が形成されているので、組み立て時にシャフトとカードとを少ないスペースで強固に結合することが可能となるという効果がある。
【０１０３】
請求項１６の発明は、請求項２の発明において、空気透過部材は、空気透過部材圧入部の軸方向において吸盤側に配設されているので、空気透過部材を配設したことによる吸盤の変形への影響を少なくすることができ、また、吸盤が被吸着体に吸着している時に空気透過部材圧入部内に残留する空気の量が多くなり、同じ遅れ時間を実現するために空気透過係数の小さな空気透過部材を使用することができるという効果がある。
【０１０４】
請求項１７の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、開口された側の端部が全周にわたって素子用ケースに取り付けられているので、吸盤カバーにより吸盤と被吸着体との間に塵や埃などの異物が侵入するのを確実に防ぐことができ、遅れ時間の精度を確保することができるという効果がある。
【０１０５】
請求項１８の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、弾性力を有しカードの移動によって変形するものであって、素子用ケース内に収納され素子用ケースに対して該吸盤カバーの復帰力により密着シールされているので、吸盤カバーを素子用ケースに圧入したりすることなしに、吸盤カバーにより吸盤と被吸着体との間に塵や埃などの異物が侵入するのを確実に防ぐことができ、遅れ時間の精度を確保することができるという効果がある。
【０１０６】
請求項１９の発明は、請求項１の発明において、少なくとも吸盤及び被吸着体を収納する素子用ケースと、吸盤の吸着面側と素子用ケースの外側との間を仕切る吸盤カバーとを備え、素子用ケースは、吸盤カバーの開口された側の端部が圧入される圧入部が形成され、吸盤カバーは、圧入部に圧接する複数の圧入用リブが形成されているので、素子用ケースに対して吸盤カバーを容易に且つ確実に取り付けることができ、吸盤カバーにより吸盤と被吸着体との間に塵や埃などの異物が侵入するのを確実に防ぐことができ、遅れ時間の精度を確保することができるという効果がある。
【０１０７】
請求項２０の発明は、請求項１の発明において、少なくとも吸盤及び被吸着体を収納する素子用ケースと、吸盤の吸着面側と素子用ケースの外側との間を仕切る吸盤カバーとを備え、吸盤カバーは開口された側の端部に素子用ケースに圧入される圧入用リブが形成され、且つ、吸盤カバーは、開口された側の端面が素子用ケースに密着シールされているので、素子用ケースに対して吸盤カバーを容易に且つ確実に取り付けることができ、吸盤カバーにより吸盤と被吸着体との間に塵や埃などの異物が侵入するのを確実に防ぐことができ、遅れ時間の精度を確保することができるという効果がある。
【０１０８】
請求項２１の発明は、請求項１の発明において、少なくとも吸盤及び被吸着体を収納する素子用ケースと、吸盤の吸着面側と素子用ケースの外側との間を仕切る吸盤カバーとを備え、吸盤カバーは、素子用ケースに対する装着位置決め用リブが形成されているので、素子用ケースへの吸盤カバーの装着位置が安定し、また、吸盤カバーにより吸盤と被吸着体との間に塵や埃などの異物が侵入するのを確実に防ぐことができ、遅れ時間の精度を確保することができるという効果がある。
【０１０９】
請求項２２の発明は、請求項１の発明において、被吸着体は、フッ素樹脂により形成されているので、被吸着体の表面粗さ、摩擦係数を小さくすることができ、吸盤が吸着される被吸着面の摩耗を抑制することができるから、遅れ時間の変動を防止することができるという効果がある。
請求項２３の発明は、請求項１の発明において、復帰ばねが配置される側を前面側とし少なくとも吸盤及び被吸着体を収納する素子用ケースと、素子用ケースの後面側に結合される防塵用のフィルタとを備え、素子用ケースは、被吸着体が圧入される圧入部が後部に形成されているので、フィルタにより素子用ケース内へ塵や埃などに異物が侵入するのを防ぐことができ、また、組み立て時に被吸着体を素子用ケースに仮止めすることができ、フィルタの装着が容易となるという効果がある。
【０１１０】
請求項２４の発明は、請求項２３の発明において、素子用ケースの形状は、後面が開口した直方体状であって、被吸着体は、８角柱状の形状に形成されているので、フィルタの接着面積を大きくすることができ、また、素子用ケースの薄肉部を少なくすることができるという効果がある。
【０１１１】
請求項２５の発明は、請求項１の発明において、被吸着体は、吸盤が吸着される被吸着面が該被吸着面の基準平面に対して±０．０２ｍｍの平面間に収まるので、被吸着体への吸盤の吸着力のばらつきを小さくすることができ、遅れ時間のばらつきを抑制することができるという効果がある。
【０１１３】
請求項２６の発明は、請求項１の発明において、吸盤は、空気透過部材が圧入される筒状の空気透過部材圧入部を有し、空気透過部材は、柱状であって軸方向の両端部に面取り部が形成されているので、面取り部が形成されていることにより、空気透過部材圧入部への空気透過部材の圧入が容易になり、また、両端部に面取り部が形成されていることにより、両端部のどちらから圧入する場合であっても圧入が容易になり、空気透過部材の向きを気にする必要がなくなるという効果がある。
【０１１４】
請求項２７の発明は、請求項１の発明において、枠体は、カードが挿入されてカードの移動をガイドし、カードは枠体への逆挿入を防止する逆挿入防止用リブが形成されているので、カードを枠体へ逆方向に挿入することによるトラブルの発生を防止することができるという効果がある。
【０１１５】
請求項２８の発明は、請求項１の発明において、操作部のセット動作に連動して回動しカードを移動させるアームを備え、カードは、アームにより押圧される一対の被押圧部を有する略コ字形であって、被押圧部は、互いに対向する側に先端ほど相互間の距離が大きくなるようなテーパが形成されているので、被押圧部の強度を確保しつつ被押圧部間の空間を広く確保して該空間に他の部材を配設することが可能となるという効果がある。
【０１１６】
請求項２９の発明は、請求項１の発明において、吸盤とカードとの間に介在するシャフトを備え、スイッチ機構は、固定接点と、可動接点と、該可動接点が一端側に設けられた接触ばねとで構成され、カードは、接触ばねを押圧する接触ばね押圧部が形成され、接触ばね押圧部の先端はシャフトのセンタからずらしてあるので、接触ばねを駆動する駆動点をカードの形状により最適化することが可能となるという効果がある。
【０１１７】
請求項３０の発明は、請求項１５の発明において、スイッチ機構は、固定接点と、可動接点と、該可動接点が一端側に設けられた接触ばねとで構成され、各カード保持用ピンは、樹脂により形成され、カードは、一対の挿通孔それぞれに挿入された各カード保持用ピンの先端を溶かすことによりシャフトと結合され、カードは、接触ばねを押圧する接触ばね押圧部と、該溶けた樹脂を逃がすための樹脂逃げ用溝とが形成されているので、溶けた樹脂がカードの接触ばね押圧部に回り込むのを防止することができ、接触ばね押圧部による接触ばねのリフト量が変動するのを防止することができるという効果がある。
【０１１９】
請求項３１の発明は、請求項１の発明において、枠体は端子板の一部が圧入される圧入部が側面に形成され、端子仮保持用リブは、円柱状の形状であって、圧入部に圧入される端子板に接触する位置に形成されているので、組み立て時に端子体が動くのを防止でき、また、端子仮保持用リブが円柱状に形成されていることにより、端子と端子仮保持用リブとが線接触するから端子板をスムーズに圧入することができ、組み立て性を良くすることができるという効果がある。
【０１２０】
請求項３２の発明は、請求項１の発明において、枠体は、端子板の一部を支持する端子板受け部が側面に形成されているので、端子板に生じる力を枠体によって受け止めることができ、端子の信頼性を高めることができるという効果がある。
【０１２１】
請求項３３の発明は、請求項１の発明において、少なくとも枠体及び遅延素子及び端子を収納するケースを備え、枠体は、ケース内において鎖錠ばねが倒れるのを防止する錠ばね倒れ防止用リブが形成されているので、組み立て時に鎖錠ばねを配置した後に鎖錠ばねが倒れるのを防止でき、組み立て性が向上するという効果がある。
【０１２２】
請求項３４の発明は、請求項１の発明において、少なくとも枠体及び遅延素子及び端子を収納するケースを備え、ケースは、枠体及び遅延素子及び端子が収納される後端側のボディと、操作部が突出する前端側のカバーとで構成され、枠体は、ボディに圧接されているので、組み立て時に枠体の位置がずれるのを防止することができ、組み立て性が向上するという効果がある。
【０１２３】
請求項３５の発明は、請求項１の発明において、カードと吸盤との間に介在するシャフトを備え、枠体は、カードが挿入されるとともにシャフトを囲み、且つ、復帰ばねのばね力に抗して復帰ばねを仮保持する復帰ばね仮保持用リブが形成されているので、組み立て時に復帰ばねのばね力によってカードがシャフトから離れるのを防止することができ、カードとシャフトとを容易に結合することが可能となり、組み立て性が向上するという効果がある。
【０１２５】
請求項３６の発明は、請求項１の発明において、操作部のセット動作に連動して回動しカードを移動させるアームを備え、前記枠体は、カードの移動をガイドするガイド部が形成されるとともに、アームの干渉を避ける段差が設けられているので、ガイド部の長さを短くすることなしにアームの動作スペースを確保することができるという効果がある。
【０１２６】
請求項３７の発明は、請求項１の発明において、少なくとも枠体及び遅延素子及び端子が納装されるケースを備え、ケースは、枠体及び遅延素子及び端子が収納される後端側のボディと、操作部が突出する前端側のカバーとで構成され、枠体は、ボディへの逆挿入を防止する逆挿入防止リブが形成されているので、枠体をボディに対して逆方向に挿入するトラブルの発生を防止することができるという効果がある。
【０１２７】
請求項３８の発明は、請求項１の発明において、少なくとも吸盤及び被吸着体が収納される素子用ケースを備え、枠体は、素子用ケースにおいて復帰ばねが配置される前面側に後面側が結合され、後面以外の部位に成型時におけるゲート跡を有するので、枠体のゲート跡により素子用ケースの前面と枠体の後面との間に隙間が生じるのを防止することができ、組み立て寸法が狂うのを防止することができるという効果がある。
【０１２８】
請求項３９の発明は、請求項１の発明において、少なくとも吸盤及び被吸着体及びカード及び復帰ばねにより構成される遅延素子と端子とが納装されるケースと、吸盤が被吸着体に吸着した状態において吸盤と被吸着体との間に形成される内部空間へ連通する空気流通経路に配設される空気透過部材とを備え、ケースにおいて遅延素子が収納される遅延素子収納部の幅をケースにおいて端子が収納される端子収納部の幅よりも大きくしてあるので、吸盤の大きさを大きくすることにより、吸盤の寸法ばらつきによる遅れ時間の変動を少なくすることができ、同一遅れ時間を実現する場合に空気の透過係数の大きな空気透過部材を用いることができるから、透過係数のばらつきによる遅れ時間の変動も抑制することができるという効果がある。
【０１２９】
請求項４０の発明は、請求項１の発明において、復帰ばねが配置される側を前面側とし少なくとも吸盤及び被吸着体が収納される素子用ケースと素子用ケースの後面側に配設される防塵用のフィルタを備え、フィルタは、フッ素系繊維材料により形成されているので、フィルタの平均孔径を１μｍ以下にすることができ、しかも耐環境性に優れ且つ空気抵抗の低いフィルタを実現することができるという効果がある。
【０１３０】
請求項４１の発明は、請求項４０の発明において、フィルタは、粘着テープにより素子用ケースに結合されているので、組み立て時にフィルタを素子用ケースに容易に且つ気密的に装着することができ、素子用ケースとフィルタとの結合力を高めることができるという効果がある。
請求項４２の発明は、請求項４０又は請求項４１の発明において、フィルタは、素子用ケースの後面の開口部を塞ぐように素子用ケースの後面側に結合されているので、素子用ケースを密閉構造とすることができ、吸盤と被吸着体との間に塵や埃などの異物が侵入するのを防止することができるという効果がある。
【図面の簡単な説明】
【図１】実施形態１を示し、（ａ）はオフ状態の平面図、（ｂ）はオフ状態の断面図である。
【図２】同上を示し、オフ状態の側断面図である。
【図３】同上を示し、（ａ）はオン状態の平面図、（ｂ）はオン状態の断面図、（ｃ）は背面図である。
【図４】同上の分解斜視図である。
【図５】同上に用いる揺動体の斜視図である。
【図６】同上を示し、カバーを取り外した状態の平面図である。
【図７】同上に用いる遅延素子の分解斜視図である。
【図８】同上の要部断面図である。
【図９】同上の要部斜視図である。
【図１０】同上に用いる吸盤ブロックを示し、（ａ）は平面図、（ｂ）は断面図、（ｃ）は側断面図である。
【図１１】同上に用いる吸盤ブロックの要部を示し、（ａ）は断面図、（ｂ）は（ａ）の要部Ｄの拡大図である。
【図１２】同上に用いる吸盤ブロックの要部断面図である。
【図１３】同上に用いる吸盤ブロックの他の構成例を示す要部断面図である。
【図１４】同上に用いる吸盤ブロックの他の構成例を示す平面図である。
【図１５】同上に用いる素子用ケースを示し、（ａ）は正面図、（ｂ）断面図、（ｃ）は背面図、（ｄ）は（ｃ）の要部Ｃの拡大図である。
【図１６】同上に用いる遅延素子の一例を示し、（ａ）は断面図、（ｂ）は（ａ）の要部Ｂの拡大図である。
【図１７】同上に用いる遅延素子の一例を示す断面図である。
【図１８】同上に用いる被吸着体を示し、（ａ）は平面図、（ｂ）は正面図である。
【図１９】同上に用いる被吸着体の説明図である。
【図２０】同上に用いる空気透過部材の一例を示す正面図である
【図２１】同上に用いる空気透過部材の他の例を示す正面図である。
【図２２】同上に用いる遅延素子の他の構成例を示す断面図である。
【図２３】同上に用いるカードを示し、（ａ）は正面図、（ｂ）は背面図、（ｃ）は側断面図である。
【図２４】同上に用いる枠体を示し、（ａ）は平面図、（ｂ）は正面図、（ｃ）は背面図、（ｄ）は側面図である。
【図２５】同上に用いる枠体の要部を示し、（ａ）は平面図、（ｂ）は正面図である。
【図２６】同上に用いる枠体の要部の他の例を示し、（ａ）は平面図、（ｂ）は正面図である。
【図２７】同上における枠体と復帰ばねとの位置関係を示し、（ａ）は正面図、（ｂ）は背面図である。
【図２８】同上に用いるフィルタを示し、（ａ）は平面図、（ｂ）は正面図、（ｃ）は背面図である。
【図２９】同上の要部説明図である。
【図３０】実施形態２を示し、（ａ）はオフ状態の平面図、（ｂ）はオフ状態の断面図である。
【図３１】同上を示し、オフ状態の側断面図である。
【図３２】同上を示し、（ａ）はオン状態の平面図、（ｂ）はオン状態の断面図、（ｃ）は背面図である。
【図３３】同上の分解斜視図である。
【図３４】同上に用いる揺動体の斜視図である。
【図３５】同上を示し、カバーを取り外した状態の平面図である。
【符号の説明】
１  ケース
２３  吸盤ブロック
２３ｂ  吸盤
２３ｄ  空気透過部材圧入部
２４  被吸着体
２５  フィルタ
２６  カード
２６ｃ  接触ばね押圧部
２６ｅ  空気取込口
２７  復帰ばね
３２  空気透過部材
６１1 〜６１4   鎖錠ばね
６３ａ  端子板
６４ａ  固定接点
６３ｃ  端子板
７０  接触ばね
７２  可動接点
９０  ハンドル
【図１】
0003671631.tif 000002
【図２】
0003671631.tif 000003
【図３】
0003671631.tif 000004
【図４】
0003671631.tif 000005
【図５】
0003671631.tif 000006
【図６】
0003671631.tif 000007
【図７】
0003671631.tif 000008
【図８】
0003671631.tif 000009
【図９】
0003671631.tif 000010
【図１０】
0003671631.tif 000011
【図１１】
0003671631.tif 000012
【図１２】
0003671631.tif 000013
【図１３】
0003671631.tif 000014
【図１４】
0003671631.tif 000015
【図１５】
0003671631.tif 000016
【図１６】
0003671631.tif 000017
【図１７】
0003671631.tif 000018
【図１８】
0003671631.tif 000019
【図１９】
0003671631.tif 000020
【図２０】
0003671631.tif 000021
【図２１】
0003671631.tif 000022
【図２２】
0003671631.tif 000023
【図２３】
0003671631.tif 000024
【図２４】
0003671631.tif 000025
【図２５】
0003671631.tif 000026
【図２６】
0003671631.tif 000027
【図２７】
0003671631.tif 000028
【図２８】
0003671631.tif 000029
【図２９】
0003671631.tif 000030
【図３０】
0003671631.tif 000031
【図３１】
0003671631.tif 000032
【図３２】
0003671631.tif 000033
【図３３】
0003671631.tif 000034
【図３４】
0003671631.tif 000035
【図３５】
0003671631.tif 000036